(57)【要約】      （修正有）【課題】重なった紙の厚みに基づき、紙に適当な正方向の力を加え、紙取りと分紙をよりスムーズにすることができる紙プレス機構を提供する。【解決手段】紙プレス機構１００は文書処理装置上に設置し、紙プレスユニット、駆動装置、紙センサー４０、制御システムを備える。紙プレスユニットは紙プレスフレーム１０、紙プレスローラー６０を備え、駆動装置は紙プレスフレーム１０と連接し、ステップモーター、持ち上げユニット、バネ７０１を備え、紙センサー４０は文書処理装置の紙載せ台上の重なった紙の厚みを感知し、制御システムはステップモーター及び紙センサー４０と電気的に連接し、重なった紙の厚みの情報に基づき、紙プレスローラー６０の紙に対する正方向の力を制御する。【選択図】図２
0003164489.tif 000002
【実用新案登録請求の範囲】
【請求項１】
文書処理装置上に設置し、
前記文書処理装置は、本体、紙載せ台、紙取りローラーを備え、
前記紙プレス機構は、紙プレスユニット、駆動装置、紙センサー、制御システムを備え、前記紙プレスユニットは、スイング可能状態で前記本体上に設置する紙プレスフレーム、前記紙プレスフレーム上に設置する紙プレスローラーを備え、
前記駆動装置は、前記紙プレスフレームと連接し、前記駆動装置は、ステップモーター、前記ステップモーターと連接し、前記紙プレスフレームを持ち上げる持ち上げユニット、及び前記ステップモーターと前記紙プレスユニットとの間に連接し、前記紙プレスフレームを押さえるバネを備え、
前記紙センサーは、前記紙プレスユニット上に設置し、前記紙載せ台上の重なった紙の厚みを感知し、
前記制御システムは、前記ステップモーター及び前記紙センサーと電気的に連接し、
前記制御システムは、前記紙センサーが伝送する、重なった紙の厚みの情報に基づき、前記ステップモーターの作動を制御し、前記ステップモーターは、前記バネの変形量を制御し、前記バネの前記紙プレスフレームへの作用力を制御し、これにより前記紙プレスローラーの紙に対する正方向の力を制御することを特徴とする紙プレス機構。
【請求項２】
前記紙プレスユニットはさらに、固定棒部品、センサーサポートフレーム、連棒を備え、前記固定棒部品は、前記本体上に固定し、前記紙プレスフレーム上の一部及び前記連棒上の一部とは、前記固定棒部品上の異なる位置に可動設置され、
前記紙プレスフレームの別の一部と前記連棒上の別の一部とは、前記センサーサポートフレーム上の異なる位置に可動設置され、
これにより、前記紙プレスフレーム、前記固定棒部品、前記連棒、前記センサーサポートフレームは、平行な４本の連棒機構を構成することを特徴とする請求項１に記載の紙プレス機構。
【請求項３】
前記センサーサポートフレーム上には、収容設置槽、前記収容設置槽底壁に位置し、前記底壁を貫通する感知槽を設置し、
前記紙センサー上には、可動スイングアームを設置し、前記紙センサーは前記収容設置槽内に設置し、前記スイングアームは、前記感知槽において伸び出し、前記センサーサポートフレーム外へと出ることを特徴とする請求項２に記載の紙プレス機構。
【請求項４】
前記紙プレスフレームの両側の側壁上には、同一軸線に対応する２個の連接軸槽を設置し、しかも同軸の２個の第一可動孔を開設し、
前記固定棒は、下方へと延伸して形成する２個の可動接続板を備え、前記可動接続板上には、第二可動孔と第三可動孔をそれぞれ開設し、前記２個の第二可動孔は同軸で、前記２個の第三可動孔は同軸で、前記センサーサポートフレーム上には、第四可動孔と第五可動孔を設置し、
前記第一可動孔、及び相対する第三可動孔は、同一可動軸上に可動設置し、前記連棒一端は、前記第二可動孔位置に可動設置し、反対端は、前記第五可動孔位置に可動設置することを特徴とする請求項２に記載の紙プレス機構。
【請求項５】
前記紙プレスフレームは、頂点壁と両側の側壁を備え、
前記頂点壁には、下方へと陥没状に２個の孔槽を設置し、前記可動接続板は、前記孔槽内に進入し、
前記センサーサポートフレームの両側には、２個の係合板をそれぞれ設置し、前記連棒の一端は、前記紙プレスフレームの孔槽内に進入し、前記固定棒部品の第二可動孔内に可動接続し、前記連棒の反対端は、前記センサーサポートフレームの相対する２個の係合板の間に進入し、前記第五可動孔内に可動接続することを特徴とする請求項４に記載の紙プレス機構。
【考案の詳細な説明】
【技術分野】
【０００１】
本考案は紙プレス機構に関し、特に文書処理装置上の紙プレス機構に関する。
【背景技術】
【０００２】
図７に示すように、紙プレス機構１００’は、文書処理装置上に設置する。
文書処理装置は、本体(図示なし)、紙載せ台３００’、紙取りローラー４００’を備える。
【０００３】
紙プレス機構１００’は、紙プレスユニット１０’、及び紙プレスフレームと連接する駆動装置(図示なし)を備える。
紙プレスユニット１０’は、スイング可能状態で本体上に設置する紙プレスフレーム、紙プレスフレーム上に設置する紙プレスローラー１１’を備える。
駆動装置は、モーター(図示なし)、モーターと連接し、紙プレスフレームを持ち上げる持ち上げユニット２０’、モーターと紙プレスユニット１０’との間に連接し、紙プレスフレームを圧迫するバネ(図示なし)を備える。
図８に示すように、紙プレス機構１００’が紙プレス状態にある時には、バネは、モーターにより連動され、回転動を生じ(図示なし)、こうしてトルクを発生し、紙プレスローラー１１’が生じる正方向の力を通して、紙２００’上に作用する。
【０００４】
しかし、紙プレス機構１００’の紙に対する圧力は、主に、紙を重ねた厚み、及びモーターが制御するバネ３０’の変形程度と関連がある。
重ねた紙の厚みが増えれば、紙取りローラー４００’と紙２００’の正方向の力は増加するが、この正方向の力は、紙載せ台３００’と、対応する紙との間の摩擦力、及び隣接する紙２００’との間の摩擦力をも拡大させるため、紙取りと紙分けの動作に不利である。
本考案は、従来の紙プレス機構の上記した欠点に鑑みてなされたものである。
【考案の概要】
【考案が解決しようとする課題】
【０００５】
本考案が解決しようとする課題は、重ねた紙の厚みの差異に応じて、それぞれに違った正方向の力を加えることができる紙プレス機構を提供することである。
【課題を解決するための手段】
【０００６】
上記課題を解決するため、本考案は下記の紙プレス機構を提供する。
紙プレス機構は、文書処理装置上に設置し、
該文書処理装置は、本体、紙載せ台、紙取りローラーを備え、
該紙プレス機構は、紙プレスユニット、駆動装置、紙センサー、制御システムを備え、
該紙プレスユニットは、スイング可能状態で該本体上に設置する紙プレスフレーム、該紙プレスフレーム上に設置する紙プレスローラーを備え、
該駆動装置は、該紙プレスフレームと連接し、該駆動装置は、ステップモーター、該ステップモーターと連接し、該紙プレスフレームを持ち上げる持ち上げユニット、及び該ステップモーターと該紙プレスユニットとの間に連接し、該紙プレスフレームを押さえるバネを備え、
該紙センサーは、該紙プレスユニット上に設置し、該紙載せ台上の重なった紙の厚みを感知し、
該制御システムは、該ステップモーター及び該紙センサーと電気的に連接し、
該制御システムは、該紙センサーが伝送する、重なった紙の厚みの情報に基づき、該ステップモーターの作動を制御し、該ステップモーターは、該バネの変形量を制御し、該バネの該紙プレスフレームへの作用力を制御し、これにより該紙プレスローラーの紙に対する正方向の力を制御する。
【考案の効果】
【０００７】
本考案の紙プレス機構は、紙センサーにより重なった紙の厚さを判断し、制御システムにより紙センサーから伝送された、重なった紙の厚さの情報に基づき、ステップモーターの作動を制御し、ステップモーターはバネの変形量を制御し、これによりバネの紙プレスフレームに対する作用力を制御し、こうして紙プレスローラーの紙に対する圧力を制御し、紙に適当な正方向の力を提供し、紙取りと分紙をよりスムーズにすることができる。
【図面の簡単な説明】
【０００８】
【図１】本考案紙プレス機構の立体図である。
【図２】図１に示す紙プレス機構の立体分解図である。
【図３】図２に示す紙プレス機能の紙センサーの立体図である。
【図４】図２に示す紙プレス機構の紙プレスフレーム、センサーサポートフレーム、紙センサーが相互に対応する様子を示す立体図である。
【図５】図１に示す紙プレス機構において、紙プレス準備状態を示す表示図である。
【図６】図１に示す紙プレス機構において、紙プレス状態を示す表示図である。
【図７】従来の紙プレス機構の立体図である。
【図８】図７に示す紙プレス機構の紙プレス状態を示す表示図である。
【考案を実施するための形態】
【０００９】
以下に図面を参照しながら本考案を実施するための最良の形態について詳細に説明する。
【００１０】
図１、２に示すように、本考案紙プレス機構１００は、文書処理装置(図示なし)上に設置する。
文書処理装置は、本体(図示なし)、紙載せ台３００、紙取りローラー４００を備える。
【００１１】
紙プレス機構１００は、紙プレスフレーム１０、固定棒部品２０、センサーサポートフレーム３０、紙センサー４０、複数の連棒５０、複数の紙プレスローラー６０、バネ機構７０、ステップモーター(図示なし)、制御システム(図示なし)を備える。
【００１２】
図２、４に示すように、紙プレスフレーム１０は、頂点壁１１、両側の側壁１２を備える。
頂点壁１１は、２個の孔槽１１０を下方へと陥没状に設置する。
紙プレスフレーム１０の両側の側壁１２上には、同一軸線に対応する２個の連接軸槽１２０、及び同軸の２個の第一可動孔１２１を開設する。
頂点壁１１と両側の側壁１２とは、収容空間１３を取り囲んで形成する。
【００１３】
図１、２に示すように、固定棒部品２０は、おおよそ屈折板状を呈し、その一端は、文書処理装置の本体上に固定する。
固定棒部品２０前端の両側は、それぞれ下方へと延伸して可動接続板２０１を形成する。
可動接続板２０１は、孔槽１１０内に進入し、各可動接続板２０１上には、第二可動孔２０２と第三可動孔２０３を開設する。
２個の第二可動孔２０２は同軸で、２個の第三可動孔２０３も同軸で、第三可動孔２０３は、第二可動孔２０２の下方に設置する。
固定棒部品２０の連軸は、第三可動孔２０３と第一可動孔１２１を貫通し、固定棒部品２０は、紙プレスフレーム１０上に固定する(図示なし)。
【００１４】
図２、４に示すように、センサーサポートフレーム３０は、紙プレスフレーム１０の収容空間１３内に収容設置し、連接軸３１を備える。
センサーサポートフレーム３０上には、収容設置槽３０１、収容設置槽３０１底壁に位置し、底壁を貫通する感知槽３０２を設置する。
センサーサポートフレーム３０の両側には、２個の係合板３０３をそれぞれ設置する。
係合板３０３上には、２個の同軸の第四可動孔３０４、２個の同軸の第五可動孔３０５を設置する。
第五可動孔３０５は、第四可動孔３０４下方に設置し、センサーサポートフレーム３０の底部上には、複数の係合固定孔３０６を設置する。
連接軸３１は、第四可動孔３０４を貫通し、紙プレスフレーム１０の連接軸槽１２０上に係合して固定し、これにより、センサーサポートフレーム３０は、紙プレスフレーム１０内に固定される。
【００１５】
図２、３、４に示すように、紙センサー４０は、光学センサーで、その前側には、可動スイングアーム４０１を設置する。
紙センサー４０は、収容設置槽３０１内に設置し、しかもスイングアーム４０１は、感知槽３０２位置において伸び出し、センサーサポートフレーム３０外へと出る。
これにより、紙載せ台３００上の紙２００の重なった厚みを探知することができる。
【００１６】
連棒５０の一端は、紙プレスフレーム１０の孔槽１１０内に進入し、固定棒部品２０の第二可動孔２０２内に可動接続する。
連棒５０の反対端は、センサーサポートフレーム３０の相対する２個の係合板３０３の間に進入し、第五可動孔３０５内に可動接続する。
紙プレスフレーム１０上の一部と連棒５０上の一部とは、固定棒部品２０上の異なる位置に可動設置され、紙プレスフレーム１０の別の一部と連棒５０上の別の一部とは、センサーサポートフレーム３０上の異なる位置に可動設置される。
これにより、紙プレスフレーム１０、固定棒部品２０、連棒５０、センサーサポートフレーム３０は、平行な４本の連棒機構を構成する。
上記した紙プレスフレーム１０上の一部とは、第一可動孔１２１で、上記した固定棒部品２０上の異なる位置とは、固定棒部品２０の第二可動孔２０２と第三可動孔２０３である。
上記した紙プレスフレーム１０上の別の一部とは、連接軸槽１２０で、上記したセンサーサポートフレーム３０上の異なる位置とは、第五可動孔３０５と第四可動孔３０４である。
【００１７】
紙プレスローラー６０の両端は、センサーサポートフレーム３０の係合固定孔３０６内に係合して固定され、こうして紙プレスローラー６０を、センサーサポートフレーム３０上に固定する。
バネ機構７０は、紙プレスフレーム１０の片側の側壁１２上に連接し、バネ７０１、バネサポートフレーム７０２を備える。
バネ７０１は、バネサポートフレーム７０２内に設置する。
ステップモーターは、バネサポートフレーム７０２を連動して回転動させ、これにより紙プレスフレーム１０は上下に作動する。
【００１８】
本考案紙プレス機構１００の作動過程を、図５、６を用いて、以下に説明する。
紙プレス機構１００の作動時、スイングアーム４０１は、前後に押され、これにより紙センサー４０は、受け取る光線状況の変化に応じて、信号を発し、その信号を、制御システムに伝送する。
制御システムは、この時のステップモーターの回転動のステップ数に応じて、紙載せ台３００上の紙２００の積み重なった厚みを知ることができる。
【００１９】
紙２００を紙載せ台３００上に載せ、紙プレス機構１００が紙をプレスする過程において、ステップモーターは、バネサポートフレーム７０２の回転動を連動し、紙センサー４０のスイングアーム４０１が、紙に接触して開き、紙センサー４０が、発射光線を受け取り、制御システムへと信号を発するまで、紙プレスフレーム１０を連動して下方へとプレスさせる。
制御システムは、ステップモーターの回転のステップ数に基づき、この時の紙２００が重なった厚みを判断し、ステップモーターに一定のステップ数で回転動してバネ７０１を圧縮し、適当なトルクを発して、紙プレスフレーム１０上に作用するよう命令する。
紙プレスフレーム１０は、正方向の力を分解してセンサーサポートフレーム３０を伝導し、さらに紙プレスローラー６０を通して紙２００上に作用し、適当な正方向の力を加え、紙どうしの摩擦力を拡大することができる。
これにより、紙２００どうしを分ける動作に有利であり、さらに紙取りローラー４００が紙を取る際にも便利である。
【００２０】
紙プレス機構１００は、紙プレスの過程において、紙プレスフレーム１０、固定棒部品２０、センサーサポートフレーム３０、連棒５０により組成する平行な４連棒機構は、紙センサー４０と紙２００とを、一定の相対角度に保持することができる。
これにより、紙センサー４０が、紙２００の重なった厚みを判別する時の安定性を確保することができる。
紙２００の重なった厚みの違いに応じて、スイングアーム４０１が紙２００に接触する時のステップモーターが必要とする回転動のステップ数も異なり、制御システムは、紙センサー４０から伝送される紙２００の厚みの情報に従い、ステップモーターの作動を制御する。
ステップモーターは、バネ７０１の変形量を制御し、バネ７０１の紙プレスフレーム１０に対する作用力を制御し、こうして紙プレスローラー６０の紙２００に対する正方向の力を制御することができる。
【００２１】
本考案の紙プレス機構１００は、紙プレスフレーム１０、固定棒部品２０、センサーサポートフレーム３０、連棒５０が組成する平行４連棒機構であるため、紙プレス機構１００が紙をプレスする過程において、紙センサー４０と紙２００とを、一定の相対角度に常に保持することができる。
これにより、紙センサー４０は、重なった紙２００の厚みを正確に判断することができ、こうしてステップモーター回転動のステップ数を制御して、紙２００に適当な正方向の力を与えることができる。
これにより、紙プレス機構１００中の紙どうしの分紙を容易にし、紙取りローラー４００が紙を取る際の便を図ることもできる。
【００２２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２４】
１００  紙プレス機構
１０  紙プレスフレーム
１１  頂点壁
１２  側壁
１３  収容空間
１１０  孔槽
１２０  連接軸槽
１２１  第一可動孔
２０  固定棒部品
２０１  可動接続板
２０２  第二可動孔
２０３  第三可動孔
３０  センサーサポートフレーム
３１  連接軸
３０１  収容設置槽
３０２  感知槽
３０３  係合板
３０４  第四可動孔
３０５  第五可動孔
３０６  係合固定孔
４０  紙センサー
４０１  スイングアーム
５０  連棒
６０  紙プレスローラー
７０  バネ機構
７０１  バネ
７０２  バネサポートフレーム
２００  紙
３００  紙載せ台
４００  紙取りローラー
【図１】
0003164489.tif 000003
【図２】
0003164489.tif 000004
【図３】
0003164489.tif 000005
【図４】
0003164489.tif 000006
【図５】
0003164489.tif 000007
【図６】
0003164489.tif 000008
【図７】
0003164489.tif 000009
【図８】
0003164489.tif 000010